(57)【特許請求の範囲】
【請求項１】
遊技球を入賞検知する普通電動役物作動口と、
前記普通電動役物作動口に遊技球が入賞検知されることを契機に開放可能な普通電動役物を有する入球装置と、
前記入球装置内の所定の図柄始動スイッチにより遊技球が検知されると、図柄を変動させて図柄組み合わせゲームを行う図柄表示装置と、
前記図柄表示装置において、所定の図柄組み合わせが表示されたことを契機に開放して遊技球の入賞が可能となる大入賞口と、
遊技領域に発射された遊技球の落下方向を誘導又は規制するように配置された遊技釘群と、を遊技盤前面に形成された遊技領域内に備え、
前記大入賞口を開放させるまでに、遊技球をどの順番で前記普通電動役物作動口及び前記入球装置へ入賞させればよいかを一連の手順として示した遊技手順情報が機前面側から視認可能に表示された遊技機において、
機前面側に、前記普通電動役物作動口、前記入球装置及び前記大入賞口のうち、操作されることによりいずれかを狙って遊技球が入るように遊技球を打球する発射装置を備え、
遊技盤の前面周辺部に敷設された内レールの発射口から前記普通電動役物作動口への遊技球の流下経路上及び前記内レールの発射口から前記入球装置への遊技球の流下経路上には、前記遊技手順情報が遊技盤に印刷されており、
前記遊技手順情報は、遊技手順を示す番号、文字、並びにその先端が前記普通電動役物作動口及び前記入球装置を指し示す矢印であることを特徴とする遊技機。
【請求項２】
前記文字は、前記大入賞口を開放させるまでに必要とされる遊技者の動作内容と、前記動作内容どおりに動作を行った場合に生じ得る遊技内容を示すことを特徴とする請求項１に記載の遊技機。
【請求項３】
前記普通電動役物作動口及び前記入球装置は、同一流下経路上に配設される一方で、前記大入賞口を開放させるための第３種始動口及び前記大入賞口は、前記普通電動役物作動口及び前記入球装置が配設される流下経路とは異なる別の同一流下経路上に配設されており、
前記普通電動役物作動口に遊技球を入賞させると、前記普通電動役物が作動することで前記入球装置に形成された特定入賞口に遊技球が入賞可能な状態となり、該特定入賞口に遊技球が入賞して前記所定の図柄始動スイッチにより遊技球が検知されると、図柄組み合わせゲームが開始され、該図柄組み合わせゲームの結果として所定の図柄組み合わせが表示されて、特別装置作動スイッチにより遊技球が検知されると大当りの権利が発生し、前記遊技球の流下経路を前記普通電動役物作動口及び前記入球装置が配設される流下経路とは異なる流下経路に向かって遊技球を打球させて、前記第３種始動口に遊技球を入賞させることで前記大入賞口が開放するようになっており、
前記遊技手順情報は、前記普通電動役物作動口に遊技球を入賞させることを指示するとともに、前記普通電動役物作動口に遊技球を入賞させると前記入球装置の前記普通電動役物が作動すること、前記入球装置に遊技球を入賞させることを指示するとともに、前記入球装置に遊技球を入賞させると前記図柄組み合わせゲームが開始すること、及び前記図柄組み合わせゲームにおいて前記所定の図柄組み合わせを表示させることを指示するとともに、前記所定の図柄組み合わせが表示されると、前記第３種始動口への遊技球の入賞を契機に前記大入賞口が開放することを指示する情報であることを特徴とする請求項１又は請求項２に記載の遊技機。
【請求項４】
前記遊技手順情報は、機前面側から見た場合、前記遊技釘群を避けるように表示されている請求項１〜請求項３のうちいずれか一項に記載の遊技機。
【発明の詳細な説明】
【技術分野】
【０００１】  本発明は、機前面側に遊技手順情報を表示する遊技機に関するものである。
【背景技術】
【０００２】  従来から、パチンコ遊技機などの遊技機においては、遊技者が当該遊技の初心者である場合や、前記遊技機が当該遊技者にとって初めて遊技する新機種である場合、当該遊技機の遊技手順が遊技者には分からないという問題が生じていた。即ち、前記遊技機における遊技盤の遊技領域内には、例えば始動入賞口や大入賞口と言われる各種入賞口が設けられているが、当該遊技機で初めて遊技する遊技者にとっては、前記各入賞口のうち、先ずどの入賞口へ入賞させればよいのか、その次はどうしたらよいのかといった遊技手順が全く分からなかった。【０００３】  そこで、近時においては、例えば特開２００１−７０５９９号公報が示すような遊技手順情報の表示手段を備えたパチンコ遊技機が提案されている。即ち、前記公報に記載のパチンコ遊技機では、遊技手順情報の表示手段として遊技盤の遊技領域に複数の案内表示装置を設け、当該各案内表示装置により、それぞれゲート及び各入賞口を指し示すようになっている。即ち、遊技者が発射レバーを回動操作して遊技球を前記遊技領域に撃ち込むことで遊技が開始されると、先ず、どの入賞口を狙えばよいのかということを、その入賞口に対応する案内表示装置を点灯させることにより指し示すようにしていた。そして、その後も遊技の進行状況に応じて、その時点で遊技者が狙うべき入賞口またはゲートに対応する各案内表示装置をその都度点灯させることにより、遊技者に遊技手順を指し示すようにしていた。
【発明が解決しようとする課題】
【０００４】  ところが、前記公報に記載のパチンコ遊技機では、点灯動作する案内表示装置を用いることになるため、その製造過程において、遊技盤の遊技領域に前記案内表示装置を設けるという複雑な作業が必要となり、製造コストが増大するという問題が生じていた。
【０００５】  また、前記案内表示装置の点灯状態が一体何を意図しているのかということが、遊技者、特に、初心者の遊技者には理解し難いという問題があった。
また、一般に、前記遊技盤の遊技領域に形成された入賞口、ゲート、図柄表示装置などは電飾効果として遊技中に点灯又は点滅する構成となっていることが多いため、遊技手順に従ってその都度狙うべき前記各案内表示装置が点灯していても、当該点灯状態を遊技者は前記入賞口などの点灯・点滅に目を奪われて気づかないおそれがあった。あるいは、前記案内表示装置の点灯状態も前記入賞口などの点灯または点滅と同様の遊技効果であると誤解してしまうという問題もあった。
【０００６】  この発明は、このような従来の技術に存在する問題点に着目してなされたものであり、その目的は、遊技者が、容易且つ確実に遊技手順情報を理解することができる遊技機を低コストで提供することにある。
【課題を解決するための手段】
【０００７】
上記問題点を解決するために、請求項１に記載の発明は、遊技球を入賞検知する普通電動役物作動口と、前記普通電動役物作動口に遊技球が入賞検知されることを契機に開放可能な普通電動役物を有する入球装置と、前記入球装置内の所定の図柄始動スイッチにより遊技球が検知されると、図柄を変動させて図柄組み合わせゲームを行う図柄表示装置と、前記図柄表示装置において、所定の図柄組み合わせが表示されたことを契機に開放して遊技球の入賞が可能となる大入賞口と、遊技領域に発射された遊技球の落下方向を誘導又は規制するように配置された遊技釘群と、を遊技盤前面に形成された遊技領域内に備え、前記大入賞口を開放させるまでに、遊技球をどの順番で前記普通電動役物作動口及び前記入球装置へ入賞させればよいかを一連の手順として示した遊技手順情報が機前面側から視認可能に表示された遊技機において、機前面側に、前記普通電動役物作動口、前記入球装置及び前記大入賞口のうち、操作されることによりいずれかを狙って遊技球が入るように遊技球を打球する発射装置を備え、遊技盤の前面周辺部に敷設された内レールの発射口から前記普通電動役物作動口への遊技球の流下経路上及び前記内レールの発射口から前記入球装置への遊技球の流下経路上には、前記遊技手順情報が遊技盤に印刷されており、前記遊技手順情報は、遊技手順を示す番号、文字、並びにその先端が前記普通電動役物作動口及び前記入球装置を指し示す矢印であることを要旨とする。
【０００８】
請求項２に記載の発明は、請求項１に記載の遊技機において、前記文字は、前記大入賞口を開放させるまでに必要とされる遊技者の動作内容と、前記動作内容どおりに動作を行った場合に生じ得る遊技内容を示すことを要旨とする。
【０００９】
請求項３に記載の発明は、請求項１又は請求項２に記載の遊技機において、前記普通電動役物作動口及び前記入球装置は、同一流下経路上に配設される一方で、前記大入賞口を開放させるための第３種始動口及び前記大入賞口は、前記普通電動役物作動口及び前記入球装置が配設される流下経路とは異なる別の同一流下経路上に配設されており、前記普通電動役物作動口に遊技球を入賞させると、前記普通電動役物が作動することで前記入球装置に形成された特定入賞口に遊技球が入賞可能な状態となり、該特定入賞口に遊技球が入賞して前記所定の図柄始動スイッチにより遊技球が検知されると、図柄組み合わせゲームが開始され、該図柄組み合わせゲームの結果として所定の図柄組み合わせが表示されて、特別装置作動スイッチにより遊技球が検知されると大当りの権利が発生し、前記遊技球の流下経路を前記普通電動役物作動口及び前記入球装置が配設される流下経路とは異なる流下経路に向かって遊技球を打球させて、前記第３種始動口に遊技球を入賞させることで前記大入賞口が開放するようになっており、前記遊技手順情報は、前記普通電動役物作動口に遊技球を入賞させることを指示するとともに、前記普通電動役物作動口に遊技球を入賞させると前記入球装置の前記普通電動役物が作動すること、前記入球装置に遊技球を入賞させることを指示するとともに、前記入球装置に遊技球を入賞させると前記図柄組み合わせゲームが開始すること、及び前記図柄組み合わせゲームにおいて前記所定の図柄組み合わせを表示させることを指示するとともに、前記所定の図柄組み合わせが表示されると、前記第３種始動口への遊技球の入賞を契機に前記大入賞口が開放することを指示する情報であることを要旨とする。
【００１０】
請求項４に記載の発明は、請求項１〜請求項３のうちいずれか一項に記載の遊技機において、前記遊技手順情報は、機前面側から見た場合、前記遊技釘群を避けるように表示されていることを要旨とする。
【発明を実施するための形態】
【００１３】  以下、本発明をパチンコ遊技機に具体化した一実施形態を図１〜図６に基づき説明する。なお、パチンコ遊技機には、第１種〜第３種の各種パチンコ遊技機があるが、本実施形態ではそれらのうち最も遊技手順が複雑な第３種パチンコ遊技機を例示して説明する。
【００１４】  ちなみに、第１種パチンコ遊技機とは、例えば、始動入賞口に遊技球が入賞すると、図柄表示装置の図柄が変動し、所定の図柄の組み合わせで確定停止した場合に大当たり状態となるパチンコ遊技機のことをいう。また、第２種パチンコ遊技機とは、例えば、始動入賞口に遊技球が入賞すると、特別電動役物が開放し、当該電動役物内の特別領域（所謂、Ｖゾーン）へ遊技球が入賞すると大当たり状態となるパチンコ遊技機のことをいう。一方、本実施形態に係る第３種パチンコ遊技機とは、例えば、始動入賞口に遊技球が入賞すると、図柄表示装置の図柄が変動し、所定の図柄の組み合わせになったときに所定の電動役物が開放し、その電動役物内へ遊技球が入賞した場合に大当たり状態等の所定の権利が発生するパチンコ遊技機のことをいう。
【００１５】  先ず、本実施形態に係る第３種パチンコ遊技機（以下、「遊技機」という。）１１の基本的な構成について、機表側を概略的に示した図１に基づき説明する。図１に示すように、遊技機１１において機体の外郭をなす外枠１２の開口前面側には、各種の遊技用構成部材をセットする縦長方形の中枠１３が開閉及び着脱自在に組み付けられている。また、前記中枠１３の前面側には、遊技機１１内部に配置された遊技盤１４を透視保護する透明部材としての板ガラス１５がはめ込まれた前枠１６と、発射用の遊技球を停留するための上球皿１７とが、共に横開き状態で開閉可能に組付け整合されている。そして、前記中枠１３の前面側において上球皿１７の下部には下球皿１８が配設され、その下球皿１８の正面右側寄りの位置には打球発射装置１９が装着されている。
【００１６】  次に、前記遊技盤１４について、図２〜図６に基づいて説明する。
図２に示すように、前記遊技盤１４の前面には、前記打球発射装置１９（図１参照）からの遊技球が撃ち込まれる略円形の遊技領域２０が形成されている。この遊技領域２０は前記遊技盤１４の前面周辺部に敷設された外レール２１及び内レール２２により囲み形成されたものであり、当該遊技領域２０内には前記遊技球の落下方向を誘導又は規制する釘２３が多数打ち付けられている。また、前記遊技領域２０内の略中央部には、入球装置２４が配設されており、この入球装置２４の周囲には、ランプ風車２５、普通入賞口２６，２７、風車２８〜３０、図柄表示装置３１、普通電動役物作動口３２、第３種始動口３３、大入賞口３４が点在するように配設されている。なお、本実施形態では、前記釘２３、入球装置２４及び当該入球装置２４の周囲に配設された各部材２５〜３４により付属部材が構成され、前記入球装置２４、普通電動役物作動口３２及び第３種始動口３３により入球手段が構成される。
【００１７】  即ち、図２に示すように、前記入球装置２４の上方には遊技球を所定方向へ誘導するべくランプ風車２５が配設され、このランプ風車２５の左方及び右方には遊技球を所定方向へ誘導するべく風車２８，２９が配設されている。また、前記入球装置２４の下方には各種遊技状態（大当たり状態、リーチ状態、はずれ状態など）を決定するために図柄を変動させて図柄組み合わせゲームを行う図柄表示装置３１が配設されている。前記図柄表示装置３１には、複数列（本実施形態では、３列）の図柄を各列毎に発光表示する図柄表示器５２が備えられている。なお、図２には、前記各図柄として図柄「７」が前記図柄表示器５２に発光表示された様子が示されている。
【００１８】  そして、前記遊技機１１では、前記図柄表示装置３１に発光表示された各図柄の組み合わせ態様から大当たり状態、リーチ状態、若しくは、はずれ状態の何れかの遊技状態が認識できるようになっている。即ち、図２に示すように、前記図柄表示器５２に同一の図柄（「７」）で表示された場合には、その組み合わせの態様から大当たり状態を認識することができる。また、前記図柄表示器５２において特定の１列が変動表示されている状態で、残りの２列が同一の図柄となって表示された場合には、その組み合わせの態様からリーチ状態を認識することができる。なお、「変動表示」とは、前記図柄表示器５２において図柄が一旦停止状態、若しくは、確定停止状態となっておらず、前記図柄表示器５２に表示する図柄の種類を変化させながら変動していることをいう。さらに、前記図柄表示装置３１に表示された各図柄が全て異なる場合、若しくは、各図柄のうち、何れか１列の図柄が異なる場合には、その組み合わせの態様からはずれ状態を認識することができる。
【００１９】  また、前記入球装置２４の下部左方及び右方には普通電動役物作動口スイッチ（図示しない）を有する普通電動役物作動口３２と始動口スイッチ（図示しない）を有する普通入賞口２６とが配設され、普通電動役物作動口３２の左方には遊技球を所定方向へ誘導するべく風車３０が配設されている。また、前記入球装置２４の上部左方及び右方には始動口スイッチ（図示しない）を有する普通入賞口２７と第３種始動口スイッチ（図示しない）を有する前記第３種始動口３３が配設されている。この第３種始動口３３には前記第３種始動口スイッチに遊技球を誘導するための回転体５３が設けられており、当該回転体５３は、図示しない第３種始動口用モータの駆動によって常に一定速度で一方向へ回転するようになっている。
【００２０】  また、前記第３種始動口３３の下方には、前記遊技機１１が権利（所謂、大当たり）状態となり、前記第３種始動口スイッチで入賞球が検知されるとソレノドの励磁作用により開放する大入賞口３４が配設されている。なお、前記大入賞口３４の開放動作は、例えば、開放から９秒経過するまで、あるいは、規定入賞個数（一般には１０個）の遊技球が大入賞口３４に入賞するまで開放するようになっている。
【００２１】  次に、図２及び図３に基づき前記入球装置２４の基本的な構成について説明すると、この入球装置２４は、その上部に左右一対の羽根部材からなる普通電動役物３５を有しており、当該普通電動役物３５は、図示しないソレノイドの励磁作用により開放・閉鎖動作が行われるようになっている。そして、この普通電動役物３５は、前記普通電動役物作動口３２に遊技球が入賞すると開放するように構成されている。また、前記左右両普通電動役物３５の間には当該普通電動役物３５と機能的に一体構成をなす特定入賞口３６が配設されており、この特定入賞口３６の直下には当該入賞口３６を通過して下方へ流れる遊技球の個数をカウント検出する特定通過カウントスイッチ３７が配設されている。
【００２２】  前記特定通過カウントスイッチ３７の下方には空間Ｓが形成され、当該空間Ｓの略中央部には、前記遊技盤１４の前面から前方へ突出する案内部材３８が形成されている。この案内部材３８は上方から流れてきた遊技球を左右方向へ振り分け可能な形状になっている。そして、前記案内部材３８の左方には、下方へ延びる通路３９が形成され、当該通路３９は遊技球を排出する排出口４０へ繋がっている。一方、前記案内部材３８の右方には、流れてきた遊技球を停留し、当該遊技球の重みで反時計方向へ回動し、当該遊技球を前記案内部材３８の下方へ案内する遅延機構４１が形成されている。前記遅延機構４１の下方には、前記排出口４０方向へ傾斜するように傾斜部４２が形成されている。そして、前記遅延機構４１により下方へ案内された遊技球は、前記傾斜部４２に沿うように前記排出口４０へ向かって流れるようになっている。
【００２３】  また、前記傾斜部４２の途中には、図示しない駆動装置の駆動力によって前記遊技盤１４の前面から前後方向へ出没動作をする規制片４３が形成されている。即ち、前記規制片４３は、突出動作することにより当該規制片４３の上面が前記傾斜部４２の一部分を構成し、没入動作することにより前記傾斜部４２に貫通孔からなる図柄始動ゲート４４を形成するようになっている。なお、前記規制片４３は、通常、没入状態にあって前記傾斜部４２に図柄始動ゲート４４を形成するように構成されている。
【００２４】  この図柄始動ゲート４４は前記入球装置２４内を下方へ延びるように形成されており、当該図柄始動ゲート４４の上下方向中途位置には、遊技球の通過を検知する図柄始動スイッチ４５が配設されている。また、この図柄始動スイッチ４５の直下には回転体からなる誘導部４６が形成され、当該誘導部４６の外周部上には遊技球を停留可能な切り欠き部４７が形成されている。前記誘導部４６は、前記図柄表示装置３１の図柄組み合わせゲームの結果に基づき、図示しない誘導部用モータの駆動により、時計回り方向又は反時計回り方向のうち一方向へ回動するようになっている。即ち、前記図柄組み合わせゲームの結果、大当たりとなると前記誘導部４６は時計周り方向へ回動し、はずれとなると前記誘導部４６は反時計回り方向へ回動するようになっている。
【００２５】  前記誘導部４６の左方には、当該誘導部４６が反時計回り方向へ回動した際に、前記切り欠き部４７から停留されている遊技球を受け入れる停留球排出口４８がＬ字状に下方へ延びるように形成され、当該停留球排出口４８の中途位置には停留球排出口スイッチ４９が配設されている。この停留球排出口スイッチ４９は、前記誘導部４６に停留された遊技球が正確に誘導されているか検出するようになっている。
【００２６】  また、前記誘導部４６の右方には、当該誘導部４６が時計回り方向へ回動した際に、前記切り欠き部から停留されている遊技球を受け入れる特別装置作動領域５０がＬ字状に下方へ延びるように形成されている。そして、前記特別装置作動領域５０の中途位置には遊技球の通過を検知する特別装置作動スイッチ５１が配設されている。この特別装置作動スイッチ５１で遊技球の通過を検出すると、前記遊技機１１は権利（所謂、大当たり）状態となる。
【００２７】  また、本実施形態に係る遊技機１１にあっては、図２に示すように、前記遊技盤１４前面（遊技領域２０）における前記釘２３、入球装置２４及び当該入球装置２４の周囲に配設された各部材２５〜３４以外の部位の複数箇所に遊技手順情報が記されている。即ち、図２及び図４に示すように、前記普通電動役物作動口３２の上方近傍には、遊技手順情報としての「一、ここに球を入れてね」という番号５４及び文字５５が印刷されている。そして、それらの下方近傍には前記普通電動役物作動口３２へ向くように遊技手順情報及び記号としての矢印５６が印刷されている。従って、この矢印５６により前記番号５４及び文字５５と普通電動役物作動口３２との対応関係を遊技者に明確に示すことができる。なお、図４は、図１及び図２の前記遊技盤１４前面に配設された前記普通電動役物作動口３２の上方近傍部分のうち点線Ａで囲まれた部分の拡大図である。
【００２８】  そして、本実施形態では、遊技手順を示す前記番号５４，文字５５，矢印５６により第１遊技手順情報５７が構成されている。この第１遊技手順情報５７は、前記遊技盤１４前面（遊技領域２０）における前記普通電動役物作動口３２、入球装置２４及び釘２３以外の部位に印刷されている。つまり、前記第１遊技手順情報５７は、前記普通電動役物作動口３２と前記入球装置２４とを避けるように、且つ、遊技盤１４上に配設された多数の前記釘２３を避けるように印刷されている。従って、前記遊技領域２０に記された前記第１遊技手順情報５７については遊技機１１前面側から視認可能に表示されることになり、遊技者に対して前記第１遊技手順情報５７を確実に表示することができる。
【００２９】  また、図２及び図５に示すように、前記遊技盤１４前面で、且つ、前記入球装置２４の左上方近傍には、遊技手順情報としての「ニ、次はここに球を入れて図柄を回してね」という番号５８及び文字５９が印刷されている。そして、それらの下方近傍には前記入球装置２４の各普通電動役物３５へ向くように一対の遊技手順情報及び記号としての矢印６０が印刷されている。従って、この矢印６０により前記番号５８及び文字５９と入球装置２４との対応関係を遊技者に明確に示すことができる。なお、図５は、図１及び図２の前記遊技盤１４前面に配設された前記入球装置２４の上方近傍部分のうち点線Ｂで囲まれた部分の拡大図である。
【００３０】  そして、本実施形態では、遊技手順を示す前記番号５８，文字５９，矢印６０により第２遊技手順情報６１が構成されている。この第２遊技手順情報６１は、前記遊技盤１４前面（遊技領域２０）における前記風車２８（図２参照）、ランプ風車２５、入球装置２４及び釘２３以外の部位に印刷されている。つまり、前記第２遊技手順情報６１は、前記風車２８（図２参照）、ランプ風車２５及び入球装置２４を避けるように、且つ、遊技盤１４上に配設された多数の前記釘２３を避けるように印刷されている。従って、前記遊技領域２０に記された前記第２遊技手順情報６１についても遊技機１１前面側から視認可能に表示されることになり、遊技者に対して前記第２遊技手順情報６１を確実に表示することができる。
【００３１】  さらに、図２及び図６に示すように、前記遊技盤１４前面で、且つ、前記第３種始動口３３の上方近傍には、遊技手順情報としての「三、図柄が揃ったら右打ちでここに入れてね。」という番号６２及び文字６３が印刷されている。そして、それらの下方近傍には前記第３種始動口３３へ向くように遊技手順情報及び記号としての矢印６４が印刷されている。従って、この矢印６４により前記番号６２及び文字６３と第３種始動口３３との対応関係を遊技者に明確に示すことができる。なお、図６は、図１及び図２の前記遊技盤１４前面に配設された前記第３種始動口３３の上方近傍部分のうち点線Ｃで囲まれた部分の拡大図である。
【００３２】  そして、本実施形態では、遊技手順を示す前記番号６２，文字６３，矢印６４により第３遊技手順情報６５が構成されている。この第３遊技手順情報６５は、前記遊技盤１４前面（遊技領域２０）における前記第３種始動口３３、風車２９及び釘２３以外の部位に印刷されている。つまり、前記第３遊技手順情報６５は、前記第３種始動口３３と風車２９を避けるように、且つ、前記遊技盤１４上に配設された多数の前記釘２３を避けるように印刷されている。従って、前記遊技領域２０に記された前記第３遊技手順情報６５についても遊技機１１前面側から視認可能に表示されることになり、遊技者に対して前記第３遊技手順情報６５を確実に表示することができる。
【００３３】  このように、前記遊技盤１４前面に印刷された第１〜第３遊技手順情報５７，６１，６５は遊技球をどの手順（順番）で普通電動役物作動口３２、入球装置２４及び第３種始動口３３ヘ入賞させればよいかを一連の手順として示すものである。従って、遊技者が遊技機１１の遊技手順を理解するのにより効果的である。また、前記第１〜第３遊技手順情報５７，６１，６５は遊技盤１４前面に予め確定表示されている。即ち、前記第１〜第３遊技手順情報５７，６１，６５は、遊技盤１４の製造過程において遊技盤１４前面に印刷されるので、当該第１〜第３遊技手順情報５７，６１，６５が変更されることはない。
【００３４】  さらに、遊技機１１の製造過程において、前記第１〜第３遊技手順情報５７，６１，６５は、遊技盤１４に印刷されている他の絵柄等と同じく印刷できるので、従来の製造過程に新たな製造過程を追加する必要がない。その結果、前記遊技機１１を低コストで製造することができる。
【００３５】  次に、遊技者が、以上のように構成された前記遊技機１１を遊技する際の遊技態様について説明する。
まず、前記遊技機１１の遊技態様を知らない遊技者が前記遊技機１１の前に座り、前記遊技領域２０に目をやると、当該遊技領域２０（遊技盤１４前面）に印刷された前記第１〜第３遊技手順情報５７，６１，６５に気が付く。
【００３６】  そして、例えば、遊技者が前記第１〜第３遊技手順情報５７，６１，６５のうち第２遊技手順情報６１をよく見ると、「ニ、次はここに球を入れて図柄を回してね」と記載され、その下方には、前記入球装置２４を指し示す矢印６０が記載されていることに気が付く。その場合、先ず、「ニ、次はここに球を入れて図柄を回してね」という記載のうち、「ニ」という番号５８を見て、前記第１，第２遊技手順情報５７，６１と見比べ、順番であるということを理解する。
【００３７】  そこで、遊技者は前記第１遊技手順情報５７に目をやり、「一、ここに球を入れてね」という記載を見て、次に、その下方に印刷されている矢印５６を見る。すると、「１番目に、ここ（普通電動役物作動口３２）に球を入れる」ということが理解できる。
【００３８】  その次に、遊技者は先程見ていた第２遊技手順情報６１に目をやり、容易に、「２番目に、ここ（入球装置２４）に球を入れれば、図柄（図柄が表示されている図柄表示装置３１の図柄）が回るんだな」ということが理解できる。その際、矢印６０が２個あることに気が付き、その各矢印６０の指し示す方向を見る。すると、前記入球装置２４の一対の普通電動役物３５を指し示していることが理解でき、その間に球を入れることが理解できる。
【００３９】  そして、その次に、遊技者は第３遊技手順情報６５に目をやり、容易に、「３番目に、前記図柄表示装置３１の図柄が揃ったら、ここ（第３種始動口３３）に球を入れる」ということが理解できる。このようにして、遊技者は、前記打球発射装置１９により前記遊技領域２０に遊技球を打球する前に、前記遊技機１１の遊技態様を理解することができる。
【００４０】  そして、遊技者は、前記第１遊技手順情報５７に従い、先ず、前記普通電動役物作動口３２に遊技球を入れるように、前記打球発射装置１９によって遊技領域２０に遊技球を打球する。そして、遊技球が前記普通電動役物作動口３２に入賞すると、前記入球装置２４の普通電動役物３５が開放動作するため、次に遊技者は、前記第２遊技手順情報６１に従って、前記入球装置２４の普通電動役物３５が開放した特定入賞口３６を狙って、遊技球を打球する。
【００４１】  そして、前記特定入賞口３６に入賞した遊技球は、前記特定通過カウントスイッチ３７を通過する。そして、前記遊技球は、前記特定通過カウントスイッチ３７を介して、前記空間Ｓに流れる。この遊技球が前記案内部材３８により、右方向へ振り分けられると、当該遊技球は遅延機構４１で停留され、その後、前記遊技球は案内部材３８の下方へ案内される。なお、前記案内部材３８で左方へ振り分けられた遊技球は、前記通路３９、排出口４０を介して排出される。
【００４２】  その後、前記案内部材３８の下方へ案内された遊技球は、図柄始動ゲート４４に入球され、この遊技球は図柄始動スイッチ４５を通過する。すると、前記図柄表示装置３１の図柄が変動する。そして、前記遊技球は、前記誘導部４６の切り欠き部４７に停留し、例えば、前記図柄表示器５２の各図柄として同一の図柄「７」が図柄表示器５２に発光表示される。すると、前記誘導部４６が時計回り方向へ回動し、前記切り欠き部４７に停留した遊技球は、前記特別装置作動領域５０へ流れ、特別装置作動スイッチ５１を通過する。その結果、前記遊技機１１は権利状態となる。
【００４３】  なお、前記図柄表示器５２の各図柄のうち何れか１列の図柄が異なる場合には、前記誘導部４６が反時計回り方向へ回動し、前記切り欠き部４７に停留した遊技球は、前記停留球排出口４８へ流れ、はずれ状態となる。すると、遊技者は、第３遊技手順情報６５の内容から前記図柄表示装置３１の表示が揃わなければ第３遊技手順情報６５に基づく３番目の遊技手順に進むことができないということを再確認する。そして、遊技者は、前記図柄表示装置３１の各図柄が同一の図柄となるまで、前記第１遊技手順情報５７に従って遊技し、次に、第２遊技手順情報６１に従って遊技するというように繰り返し遊技する。
【００４４】  一方、前記遊技機１１が権利状態となった場合、遊技者は、前記図柄表示装置３１の図柄が揃ったのを見て、前記第３遊技手順情報６５に従い、前記第３種始動口３３に遊技球を入れるように、前記打球発射装置１９によって右打ちする。そして、遊技球が前記第３種始動口３３に入賞すると、当該遊技球は回転体５３により図示しない第３種始動口スイッチへ誘導される。そして、この第３種始動口スイッチで入賞球を検知すると、前記大入賞口３４が開放する。すると、遊技者は、前記大入賞口３４に遊技球を入賞させる。そして、遊技者が前記大入賞口３４に所定個数（本実施形態では、１０球）の遊技球を入賞させると、大入賞口３４は閉動作し閉じた状態となる。
【００４５】  そこで、遊技者は、前記図柄表示装置３１の図柄が揃っているのを見て、再び前記第３遊技手順情報６５に従い遊技するというように、この第３遊技手順情報６５に従った遊技を所定回数繰り返す。遊技者が第３遊技手順情報６５に従った遊技を所定回数繰り返した後、前記遊技機１１の権利状態が終了すると、遊技者が前記第３種始動口３３に遊技球を入賞させても大入賞口３４が開放しないので、遊技者は再び、前記第１〜第３遊技手順情報５７，６１，６５に基づき遊技する。
【００４６】  従って、本実施形態によれば、以下に示す効果を得ることができる。
（１）  遊技盤１４前面（遊技領域２０）に遊技手順を示す番号５４（５８）（６２），文字５５（５９）（６３），矢印５６（６０）（６４）から構成された前記第１遊技手順情報５７（第２遊技手順情報６１）（第３遊技手順情報６５）が印刷されている。従って、遊技者が遊技機１１の前に座って前記遊技領域２０を見た際に、容易且つ確実に前記第１遊技手順情報５７（第２遊技手順情報６１）（第３遊技手順情報６５）を理解することができる。また、遊技手順を示す番号５４，５８，６２、文字５５，５９，６３、矢印５６，６０，６４を用いて、遊技手順が示されているので、初心者の遊技者に対して、わかり易く遊技手順を示すことができる。
（２）  前記第１〜第３遊技手順情報５７，６１，６５は、遊技盤１４の製造過程において、遊技盤１４前面に印刷されるようになっている。従って、当該第１〜第３遊技手順情報５７，６１，６５が変更されることがなく、遊技者が遊技を開始する前に、遊技機１１の遊技手順を理解することができ、容易に遊技機１１の遊技を楽しむことができる。また、遊技機１１の製造過程において、従来のように遊技盤１４前面の遊技領域２０に案内表示装置を設けるような複雑な製造過程をもうける必要がなく、遊技盤１４に印刷されている他の絵柄などと同じく印刷できるので、従来の製造過程に新たな製造過程を追加する必要がない。また、従来の案内表示装置のような特殊な装置を用いる必要がなく、部品コストを低減することができる。その結果、遊技機１１を低コストで製造することができる。（３）  前記第１遊技手順情報５７は普通電動役物作動口３２の上方近傍、第２遊技手順情報６１は入球装置２４の左上方近傍、第３遊技手順情報６５は第３種始動口３３の上方近傍の遊技盤１４前面に印刷されている。従って、第１遊技手順情報５７は普通電動役物作動口３２、第２遊技手順情報６１は入球装置２４、第３遊技手順情報６５は第３種始動口３３との対応関係を遊技者に明確に示すことができる。
（４）  前記第１遊技手順情報５７（第２遊技手順情報６１）（第３遊技手順情報６５）は、普通電動役物作動口３２、入球装置２４（風車２８、ランプ風車２５、入球装置２４）（第３種始動口３３、風車２９）及び釘２３を避けるように印刷されている。従って、前記遊技領域２０に前記第１〜第３遊技手順情報５７，６１，６５が遊技機１１前面側から視認可能に表示され、遊技者に対して前記第１〜第３遊技手順情報５７，６１，６５を確実に表示することができる。
（５）  前記遊技盤１４前面に印刷された第１〜第３遊技手順情報５７，６１，６５は遊技球をどの手順で普通電動役物作動口３２、入球装置２４及び第３種始動口３３へ入賞させればよいかを一連の手順として示すものである。従って、遊技者が遊技機１１の遊技手順を理解するのにより効果的である。
【００４７】  なお、前記実施形態は以下のように変更してもよい。
・  前記実施形態では、パチンコ遊技機の中でも、第３種パチンコ遊技機に具体化したが、前記実施形態の構成を第１種パチンコ遊技機や第２種パチンコ遊技機及び一般電役遊技機等の他種類のパチンコ遊技機に採用してもよい。その場合、各パチンコ遊技機の遊技態様に合わせ、遊技手順情報を適宜変更する。なお、一般電役遊技機とは、例えば、電動役物が複数設けられ、入賞口に遊技球が入賞すると、前記電動役物のうち所定の電動役物が開放し、遊技球を入賞させると、次の電動役物が開放するというように、電動役物が連動して開放し、その都度、遊技球を入賞させていくパチンコ遊技機のことである。また、前記各パチンコ遊技機以外のアレンジボール遊技機など他の遊技機に前記実施形態の構成を採用してもよい。
【００４８】  ・  前記実施形態では、前記第１〜第３遊技手順情報５７，６１，６５が遊技盤１４前面（遊技領域２０）に印刷されることにより表示されていたが、第１〜第３遊技手順情報５７，６１，６５を遊技盤１４前面に直接書いてもよい。また、第１〜第３遊技手順情報５７，６１，６５が印刷されたシールを前記遊技盤１４前面に貼ってもよいし、前記遊技盤１４前面の遊技領域２０に表示されれば、他の方法を用いてもよい。
【００４９】  ・  前記実施形態では、前記遊技機１１にその遊技態様から、入賞させなければならない普通電動役物作動口３２、入球装置２４及び第３種始動口３３が設けられていたが、遊技態様が異なり、遊技者が通過させなければならない通過ゲートが設けられている遊技機に前記実施形態の構成を採用してもよい。なお、この場合には通過ゲートが入球手段となる。
【００５０】  ・  前記実施形態では、遊技手順を示す番号５４，５８，６２、文字５５，５９，６３、矢印５６，６０，６４を用いて、遊技手順が示されていたが、文字のみ、番号のみ、番号と文字、文字と番号など、番号、文字、矢印（記号）のうち少なくともいずれか１つにより遊技手順を示すようにしてもよい。また、前記番号とは、１，２，３等のアラビア数字、一，ニ，三等の漢数字、Ｉ，ＩＩ，ＩＩＩ等のローマ数字等順番を示すものであればよい。前記文字とは、ひらがな、カタカナ、漢字、アルファベット等を含むものである。また、前記実施形態では、記号として矢印を採用していたが、丸，星印など目印となる符号等を採用してもよい。
【００５１】  ・  前記実施形態では、前記第１遊技手順情報５７が普通電動役物作動口３２の上方近傍、第２遊技手順情報６１が入球装置２４の左上方近傍、第３遊技手順情報６５が第３種始動口３３の上方近傍の遊技盤１４前面に印刷されていたが、前記第１〜第３遊技手順情報５７，６１，６５は、遊技盤１４前面で且つ遊技領域２０であれば、印刷される位置はどこでもよい。
【００５２】  ・  前記実施形態では、前記第１遊技手順情報５７が普通電動役物作動口３２の上方近傍、第２遊技手順情報６１が入球装置２４の左上方近傍、第３遊技手順情報６５が第３種始動口３３の上方近傍の遊技盤１４前面に印刷されていたが、当該第１〜第３遊技手順情報５７，６１，６５が印刷されている遊技盤１４前面における位置と前後方向で対応する前記板ガラス１５に、前記第１〜第３遊技手順情報５７，６１，６５が表示されたシール等を貼ってもよい。また、普通電動役物作動口３２、入球装置２４及び第３種始動口３３と前後方向で対応する板ガラス１５に前記シールを貼ってもよい。また、前記遊技盤１４及び遊技盤１４前面に配設されている普通電動役物作動口３２等、即ち遊技領域２０と前後方向で対応する板ガラス１５に前記シールを貼ってもよい。また、前記第１〜第３遊技手順情報５７，６１，６５が前記板ガラス１５に埋め込まれていてもよい。このような構成とすると、遊技領域２０に撃ち込まれた遊技球により、第１〜第３遊技手順情報５７，６１，６５が削られ、視認不可能となることを効果的に抑制することができる。
【００５３】  ・  前記実施形態では、前記第１遊技手順情報５７（第２遊技手順情報６１）（第３遊技手順情報６５）は、普通電動役物作動口３２、入球装置２４（風車２８、ランプ風車２５、入球装置２４）（第３種始動口３３、風車２９）及び釘２３を避けるように印刷されていたが、避けるように印刷しなくてもよい。例えば、前記第１遊技手順情報５７（第２遊技手順情報６１）（第３遊技手順情報６５）を普通電動役物作動口３２（入球装置２４）（第３種始動口３３）に直接印刷してもよい。また、前記第１遊技手順情報５７（第２遊技手順情報６１）（第３遊技手順情報６５）が表示されたシールを貼ってもよい。さらに、第１〜第３遊技手順情報５７，６１，６５が印刷されている遊技盤１４前面部分に釘２３が配設されていてもよい。即ち、遊技者が遊技機１１前面側から前記第１〜第３遊技手順情報５７，６１，６５を視認可能であればよい。
【００５４】  ・  前記実施形態では、遊技機１１に遊技領域２０の前面側を覆い透視保護する前記板ガラス１５を用いていたが、合成樹脂板を用いてもよい。なお、前記板ガラス１５及び合成樹脂板は、遊技者が遊技機１１前面側から遊技領域２０が視認可能であれば色付き等の半透明のものを用いてもよい。
【００５５】  ・  前記実施形態では、前記第１〜第３遊技手順情報５７，６１，６５が遊技盤１４前面に印刷されていたが、遊技領域２０外から針金を伸ばし、その先端部分が遊技領域２０内にくるように設定し、当該先端部分に第１〜第３遊技手順情報５７，６１，６５が表示された紙等を取付け、遊技領域２０に第１〜第３遊技手順情報５７，６１，６５が遊技機１１前面側から視認可能に表示してもよい。即ち、前記遊技領域２０に前記第１〜第３遊技手順情報５７，６１，６５が遊技機１１前面側から視認可能であれば、他の方法を用いてもよい。
【００５６】  ・  前記実施形態では、前記釘２３、入球装置２４、ランプ風車２５、普通入賞口２６，２７、風車２８〜３０、図柄表示装置３１、普通電動役物作動口３２、第３種始動口３３、大入賞口３４により付属部材が構成されていたが、第１種パチンコ遊技機や第２種パチンコ遊技機及び一般電役遊技機等の他種類のパチンコ遊技機では、前記実施形態の釘２３等以外により付属部材が構成されることもあり得る。
【００５７】
次に上記実施形態及び別例から把握できる技術的思想について、以下に追記する。
（イ）  前記付属部材は、前記遊技領域において遊技球を誘導するために配設された釘である。
【００５８】
（ロ）  前記遊技領域には複数の入球手段が設けられ、前記遊技手順情報は、遊技球をどの順番で前記各入球手段へ入球させればよいかを一連の手順として示すものである。
【発明の効果】
【００５９】  本発明によれば、遊技者が、容易且つ確実に遊技手順情報を理解することができる遊技機を低コストで提供することができる。
【図面の簡単な説明】
【図１】本実施形態におけるパチンコ遊技機の正面図。
【図２】同じく、パチンコ遊技機の遊技盤の正面図。
【図３】同じく、パチンコ遊技機の遊技盤前面に配設された入球装置の概略を示す正面図。
【図４】同じく、パチンコ遊技機の遊技盤前面の普通電動役物作動口の上方近傍の拡大図。
【図５】同じく、パチンコ遊技機の遊技盤前面の入球装置の上方近傍の拡大図。
【図６】同じく、パチンコ遊技機の遊技盤前面の第３種始動口の上方近傍の拡大図。
【符号の説明】  １１…パチンコ遊技機、１４…遊技盤、１５…透明部材としての板ガラス、２０…遊技領域、２３…付属部材としての釘、２４…付属部材及び入球手段としての入球装置、２５…付属部材としてのランプ風車、２６，２７…付属部材としての普通入賞口、２８〜３０…付属部材としての風車、３１…付属部材としての図柄表示装置、３２…付属部材及び入球手段としての普通電動役物作動口、３３…付属部材及び入球手段としての第３種始動口、３４…付属部材としての大入賞口、５４，５８，６２…遊技手順情報としての番号、５５，５９，６３…遊技手順情報としての文字、５６，６０，６４…遊技手順情報及び記号としての矢印、５７…遊技手順情報としての第１遊技手順情報、６１…遊技手順情報としての第２遊技手順情報、６５…遊技手順情報としての第３遊技手順情報。
【図１】
0005592041.tif 000002
【図２】
0005592041.tif 000003
【図３】
0005592041.tif 000004
【図４】
0005592041.tif 000005
【図５】
0005592041.tif 000006
【図６】
0005592041.tif 000007